(57)【特許請求の範囲】
【請求項１】
身体部分を纏うための圧迫衣服であって、伸縮性材料の第２のパネルに対して縫い目により接合される伸縮性材料の第１のパネルを有し、前記第２のパネルの伸縮性材料が、前記第１のパネルの伸縮性材料と比べて高い伸びおよび回復特性を有し、使用時、伸縮性材料の前記第１のパネルが、前記第２のパネルよりも大きい更に強力な筋肉群を筋肉構造の配置のパターンで支持するようになっており、前記第２のパネルが、前記第１のパネルよりより大きな収縮度合を有する筋肉群を筋肉構造の配置のパターンで支持するようになっている、圧迫衣服。
【請求項２】
前記身体部分が腕、脚、胴体上部、胴体下部、または、これらの組合せである請求項１に記載の圧迫衣服。
【請求項３】
単一衣服としてのあるいはスーツとして着用されるようになっている衣服の組合せをなす、ショーツ、長いタイツまたはトップを構成する請求項１または２に記載の圧迫衣服。
【請求項４】
２つ以上の異なるエラストマー材料から形成される請求項１〜３のいずれか１項に記載の圧迫衣服。
【請求項５】
エラスタンからなる複数のパネルから形成される請求項１〜４のいずれか一項に記載の圧迫衣服。
【請求項６】
前記パネルが、４０〜６０あるいは最大で５００デニール材料のナイロンまたはポリエステルと組み合わされる請求項５に記載の圧迫衣服。
【請求項７】
前記第２のパネルが、前記第１のパネルの材料と比べて低いデニールまたは大きい弾力性を有する材料から形成される請求項１〜６のいずれか１項に記載の圧迫衣服。
【請求項８】
前記第１のパネルが、５ｍｍＨｇおよび２５ｍｍＨｇの間の圧縮値をもたらすことができる請求項１〜７のいずれか１項に記載の圧迫衣服。
【請求項９】
治療目的で最大４０ｍｍＨｇの圧縮レベルをもたらすことができる請求項１〜７のいずれか１項に記載の圧迫衣服。
【請求項１０】
活動的なウエアにおいては最小で５ｍｍＨｇである２５ｍｍＨｇ未満の圧縮レベルを有し、活動的でないあるいはスポーツでない使用においては最小で８ｍｍＨｇである３０ｍｍＨｇ未満の圧縮レベルを有する請求項１〜７のいずれか１項に記載の圧迫衣服。
【請求項１１】
前記第１およびまたは第２のパネルの材料が、使用時にそれが身体からの水分を引き込むように「ウィッキング」作用を有する請求項１〜１０のいずれか１項に記載の圧迫衣服。
【請求項１２】
前記第１のパネルが支持する対象は、臀部（大臀筋）、大腿四頭筋（大腿部の前部に位置する大腿四頭筋）、ハム（大腿部の背部に位置するハムストリング筋）、ふくらはぎ（下脚の背部に位置する）、トラップ（胴の上側背部に位置する僧帽筋）、ラット（広背筋、胴の中間側の背部）および、腹直筋（前腹部）から選択される請求項１〜１１のいずれか１項に記載の圧迫衣服。
【請求項１３】
前記第２のパネルが、アキレス腱を支持することができ、それにより、良好な回復を伴って最小の力で伸びることができる請求項１〜１２のいずれか１項に記載の圧迫衣服。
【請求項１４】
前記縫い目が、エラストマー材料のパネルを接合する平縫いされた縫い目である請求項１〜１３のいずれか１項に記載の圧迫衣服。
【請求項１５】
前記縫い目が、前記圧迫衣服の周囲領域よりも大きい厚さのラインまたは隆線であり、接着、縫い合わせ、または、任意の他の手段によって形成される請求項１〜１４のいずれか１項に記載の圧迫衣服。
【請求項１６】
前記縫い合わせが平縫いである請求項１５に記載の圧迫衣服。
【請求項１７】
前記圧迫衣服が上半身衣服である場合には、前記縫い目が外腹斜筋（外側腹部）の線維方向に追従する請求項１〜１６のいずれか１項に記載の圧迫衣服。
【請求項１８】
上半身衣服が下半身衣服と共に使用される場合には、動的な動作中に勾配圧縮を伴うように同時機能メカニズムがもたらされる請求項１〜１７のいずれか１項に記載の圧迫衣服。
【請求項１９】
第２のパネルがアキレス腱を支持するパネルである、請求項１に記載の下半身圧迫衣服。
【請求項２０】
通気を助けあるいは体温を分散させる目的で１つ以上のメッシュ挿入体を含む請求項１〜１９のいずれか１項に記載の圧迫衣服。
【請求項２１】
下半身衣服の場合には、前記メッシュ挿入体が上背におけるウエストバンドの下側に位置する請求項２０に記載の圧迫衣服。
【請求項２２】
第２のメッシュ挿入体が股領域に存在する請求項２１に記載の圧迫衣服。
【請求項２３】
上半身衣服の場合には、前記メッシュ挿入体が脇の下領域または襟足または任意の他の望ましい位置に設けられる請求項２２に記載の圧迫衣服。
【発明の詳細な説明】
【技術分野】
【０００１】
本発明は、圧迫衣服および製造方法に関する。特に、本発明は、上半身衣服および下半身衣服を含む圧迫衣服に関する。
【背景技術】
【０００２】
従来技術の圧迫衣服は、一般に、身体にぴったりとフィットするように形成されるが、活動中にどの程度まで筋肉の体積および質量が増大するのかに関して考慮していない。そのような従来技術の圧迫衣服は、この状況では非静的なあるいは逆の勾配になる可能性がある。静的圧迫衣服を着用する人が活動に伴って筋肉質量を増大させると、圧迫衣服が筋肉の近傍で更にきつくなる可能性があり、それにより、（圧迫衣服の）体積が３〜５％増大する可能性がある。これにより、静的圧迫衣服の効果が変化し、望ましくない効果がもたらされる可能性があり、望ましくなく引き締まったりあるいは誤った場所で大きな圧縮がなされたりする可能性がある。また、これにより、血行が妨げられ、リンパ排液が減少する可能性がある。
従来技術の圧迫衣服は、活動中に生じる収縮の度合の違いを考慮に入れていないため幾つかの筋肉群に大きな偏心荷重を与える。
また、少なくとも好ましい実施形態において、負傷問題を軽減しあるいは回避するために、特定の領域での過剰な圧力の作用を考慮に入れることができる圧迫衣服を提供する必要性もある。
【０００３】
１つの例として、最も一般的なランニング負傷の中の１つは、時として「ランナーの膝」として知られる腸脛靭帯炎（ＩＴＢＦＳ）である。腸脛靭帯は、筋膜として知られる脚を包む側部または外側の軟組織の厚くなった部分である。腸脛靭帯は腰から膝の外側まで延びている。腸脛靭帯の上部に挿入する筋肉が、大腿筋膜張筋、ならびに、大臀筋および中殿筋の一部である。負傷は、通常、膝の外側の痛みあるいは炎症として現れる。
腸脛靭帯は様々な理由により引き締まる場合があり、痛みが脚の側部の下側に伴う場合がある。腸脛靭帯が膝関節の外側を横断する大腿領域で摩擦が引き起こされる場合がある。
圧迫衣服によって与えられる過剰な圧力が腰および膝関節にわたる腸脛靭帯の摩擦を引き起こし、それにより、ＩＴＢＦＳをもたらすあるいはＩＴＢＦＳを増大させる場合があることが分かってきた。このタイプの負傷は、特にジャンピングおよびランニングのスポーツ中の腰および膝の繰り返しの屈曲により起こり得る。
【発明の概要】
【発明が解決しようとする課題】
【０００４】
本発明の目的は、少なくとも幾つかの実施形態において、ＩＴＢＦＳによる負傷の可能性を減らすことができるおよび／または腸脛靭帯、臀筋、アキレス腱、ふくらはぎの筋肉（下腿三頭筋）、および、肩甲骨を含む重要な領域および筋肉群に対して集中的な支持および圧縮を与えることができる圧迫衣服を提供することによって従来技術の圧迫衣服を改良することである。
【課題を解決するための手段】
【０００５】
１つの態様において、本発明は、身体部分を纏うための圧迫衣服であって、伸縮性材料の第２のパネルに対して縫い目により接合される伸縮性材料の第１のパネルを有し、第２のパネルの伸縮性材料は、第１のパネルの伸縮性材料と比べて高い伸びおよび回復特性を有し、使用時、伸縮性材料の第１のパネルは、第２のパネルよりも大きい更に強力な筋肉群を支持するようになっている圧迫衣服を提供する。
身体部分は、腕、脚、胴体上部、胴体下部、または、これらの組合せであってもよい。例えば、本発明の圧迫衣服は、単一衣服としてのあるいはスーツとして着用されるようになっている衣服の組合せをなす、ショーツ、長いタイツまたはトップを構成してもよい。
本発明の圧迫衣服は、２つ以上の異なるエラストマー材料から形成されてもよい。
本発明の圧迫衣服を形成する材料は、多種多様な織物または異なる織物から選択されてもよい。しかしながら、本発明の圧迫衣服は、しばしば４０〜６０あるいは最大で５００デニール材料のナイロンまたはポリエステルまたは同様の伸縮材料と組み合わされる、エラスタンまたは同様の伸縮材料の織物のパネルから形成されるのが好ましい。織物は特定の伸びおよび回復を有することが好ましい。織物の縦(warp)に沿う伸びが１２０％および２２５％の間であり、その回復のための数（ｎｕｍｂｅｒ  ｆｏｒ  ｒｅｃｏｖｅｒｙ）が５％および４０％の間であることが一般に好ましい。
本発明の第１の態様によれば、第２のパネルの伸縮性材料は、第１のパネルの伸縮性材料と比べて高い伸びおよび回復特性を有する。第２のパネルの特性が任意の所望の方法で達成されてもよい。例えば、第２のパネルは、第１のパネルの材料と比べて低いデニールを有しあるいは大きい弾力性を有する材料から形成されてもよい。
本発明の圧迫衣服の第１のパネルは、５ｍｍＨｇおよび２５ｍｍＨｇの間の圧縮値をもたらすことができるのが好ましい。本発明の圧迫衣服は治療のために使用され得ることも想定され、その場合は、圧縮レベルは更に大きくてもよく、例えば最大で４０ｍｍＨｇである。本発明の圧迫衣服の殆どの実施形態において、圧縮は、活動的なウエアにおいては最小で５ｍｍＨｇの、２５ｍｍＨｇ未満の低いグレードであり、活動的でないあるいはスポーツでない使用においては最小で８ｍｍＨｇの、３０ｍｍＨｇ未満の低いグレードである。
【０００６】
第１および／または第２のパネルの材料は、使用時にそれが身体からの水分を引き込むように「ウィッキング(wicking)」作用を有することが好ましい。そのような材料は知られている。
本発明の第１の態様におけるパネルは任意の適した形状をなしてもよい。
本発明の第１の態様は、筋肉構造の配置のパターンを表わすように圧迫衣服にパネルを設けるという概念に基づいている。この概念は、大きい強力な筋肉群が最も筋繊維を有するがそれらの収縮度合が小さいことを考慮に入れる。これらの筋肉群の例は、臀部（大臀筋）、大腿四頭筋（大腿部の前部に位置する大腿四頭筋）、ハム（大腿部の背部に位置するハムストリング筋）、ふくらはぎ（下脚の背部に位置する）、トラップ（胴の上側背部に位置する僧帽筋）、ラット（広背筋、胴の中間側の背部）および、腹直筋（前腹部）である。好ましい実施形態では、第１のパネルがそのような筋肉群の筋腹部を完全に覆う。この方法では、筋腹部の血管の締めつけが減少され、そしてより多くの血液供給を伴う筋肉群上にわたって更に効果的な圧縮が行なわれると考えられる。
より大きな収縮度合を有しかつ通常は更に長い腱を有する筋肉群の例はアキレス腱である。このアキレス腱は、活動中に増大する偏心荷重に晒され得る（伸びる）。本発明の第１の態様の第２のパネルはこのタイプの筋肉群を支持でき、該パネルは良好な回復を伴って最小の力で伸びることができる
【０００７】
縫い目は、エラストマー材料のパネルを接合する平縫いされた縫い目であることが好ましい。しかしながら、縫い目はこれに限定されない。例えば、縫い目は、圧迫衣服の周囲領域よりも厚さの大きいラインまたは隆線であってもよい。したがって、縫い目は、接着、縫い合わせ、または、任意の他の手段によって形成されてもよい。
縫い合わせは、４本針または６本針プロセスを使用する平縫いであることが好ましい。
特に、本発明の圧迫衣服の第１のパネルの場合、縫い目または縫い目線は、筋肉の原点または挿入点のいずれかに追従するとともに、血液供給が低い骨ばっている隆起または筋膜線に沿って進行することが好ましい。上半身衣服を提供する一実施形態では、縫い目が外腹斜筋（外側腹部）の線維方向に追従することが好ましい。これにより、圧迫衣服のパネルは、投げる動作および走る動作中に、横断面またはねじれ、体幹機能の動きを助けることができる。
本発明の上半身衣服の適した実施形態が本発明に係る下半身衣服の適した実施形態と共に着用される場合には、動的な動作中に勾配圧縮を伴う同時機能メカニズムがもたらされよう。
【０００８】
第２の態様において、本発明は、着用者の下半身部分を纏うための圧迫衣服であって、伸縮性材料の第２のパネルに対して第１の縫い目により接合される伸縮性材料の第１のパネルを含み、第２のパネルが第２の縫い目によって第３のパネルまたは第１のパネルに接合され、第２のパネルが使用時に着用者の腸脛靭帯の実質的部分に沿って位置するようになっている、圧迫衣服を提供する。
１つの実施形態において、第２のパネルは、使用時に着用者の大腿筋膜張筋から腸脛靭帯に沿って膝へ向けてほぼ延びるようになっている。
本発明の第１および第２の態様が組み合わされ、また、使用時に膝上にわたって位置するようになっている更に弾力性が高い第４のパネルに対して第２のパネルが接合されることが特に好ましい。特に、第２のパネルが第１および第３のパネルよりも大きい弾力性を有しかつ第４のパネルが更に大きい弾力性を有する場合、本発明の第２の態様の下半身衣服は、腸脛靭帯および大腿筋膜張筋上にわたる過剰な圧力を減らすと同時に、所望の度合の膝屈曲を許容するように形成できる。
【０００９】
第３の態様において、本発明は、着用者の下肢である身体部分を纏うための圧迫衣服であって、使用時に少なくとも部分的に着用者の下腿三頭筋を分割するようになっている縫い目により伸縮性材料の第２のパネルに対して接合される伸縮性材料の第１のパネルを有する圧迫衣服を提供する。
好ましくは、本発明の第３の態様において、縫い目は、アキレスパネルの上部を筋腱連結部に取り付けている側部及び内側腓腹筋を分割する。
本発明の第３の態様は、ランニング動作およびジャンピング動作では下肢のふくらはぎの筋肉が力強く収縮することが求められるという概念に基づいている。所定時間にわたる過度の収縮中にふくらはぎの筋肉が疲れてくるあるいは機能的に弱い場合には、ランニング中に１本の脚を地面に着地させるなどの伸張性収縮により、これらの筋肉が裂ける可能性がある。本発明の第３の態様は、実質的に、腓腹筋腹部の個々の特定の支持および圧縮を許容できるデュアルパネルシステムを与えることができる。これは、下腿三頭筋部位の局部的な疲れを減らすとともに、ふくらはぎの筋肉の負傷を制限する。
【００１０】
本発明の第３の態様の１つの実施形態において、圧迫衣服は、長いソックスまたはストッキングの形状をなす。
特に好ましい実施形態では、本発明の第１、第２、および、第３の態様が組み合わされ、それにより、３つの全ての態様の特徴を有するロングタイツまたはショートタイツなどの下半身圧迫衣服がもたらされる。この特に好ましい実施形態において、圧迫衣服は、本発明の第１の態様に係る第２のパネルを表わすアキレスパネルを含む。
当業者であれば分かるように、本発明の圧迫衣服は、適した態様において、ウエストおよび大腿部の後側部パネルにおいて圧縮性織物と高伸縮性／回復織物との組合せを利用できる。これは、斜紋筋、大臀筋、腸脛靭帯、および、大腿筋膜張筋の相補的機能メカニズムをもたらすのに役立つ。
圧迫衣服が下半身衣服であることに関する好ましい実施形態において、ウエストバンドは、それが圧迫衣服の後部に弾性挿入体を含む必要がないようになっている選択された伸縮および回復特性を有する伸縮性材料のパネルから形成されるのが好ましい。この実施形態では、圧迫衣服の前部に弾性挿入体を有することが随意的である。言うまでもなく、これは、弾性挿入体がウエストを取り囲むか、または、弾性挿入体がウエストバンドの一部だけに含まれて、弾性挿入体が圧迫衣服の前部ではなく背部で使用される従来技術の構成と異なる。本発明の下半身衣服に関して説明したタイプの構成は、垂直安定性を与えることができる。
前述したウエストバンドの実施形態は、本発明の第４の態様を表わすが、本発明の第１、第２、および、第３の態様のいずれかあるいは全てと組み合わせて使用されるのが好ましい。
【００１１】
第５の態様において、本発明は、着用者の上半身部分を纏うための圧迫衣服であって、縫い目によって伸縮性材料の第２のパネルに対して接合される伸縮性材料の第１のパネルを有し、縫い目は、使用時に着用者の外腹斜筋の線維方向に沿って位置するようになっている、圧迫衣服を提供する。
１つの好ましい実施形態において、本発明の第５の態様の上半身圧迫衣服は、第１および第２のパネルを接合して、圧迫衣服の前部で着用者の横隔膜領域よりも上側に位置する縫い目を有する。圧迫衣服の後部で、縫い目は、着用者の胴の下部に対する更に大きい柔軟性を許容しつつ肩甲骨筋に対して圧縮を与えるように上方湾曲状態に形成されることが更に好ましい。
伸縮およびねじれを許容するために着用者の背骨の領域で上半身衣服の後部に弾力性が更に高い第３のパネルが挿入されることが特に好ましい。
随意的に、本発明の圧迫衣服は、その態様のいずれかにおいて、通気を助けあるいは体温を分散させる目的で１つ以上のメッシュ挿入体を含んでもよい。例えば下半身衣服の場合には、メッシュ挿入体が上背におけるウエストバンドの下側に位置するように設けられてもよい。第２のメッシュ挿入体が股領域に存在してもよいことが更なる選択肢である。
例えば上半身衣服の場合には、メッシュ挿入体が脇の下領域または襟足または任意の他の望ましい位置に設けられてもよい。
【００１２】
また、本発明は、本発明の任意の態様の圧迫衣服を製造する方法も提供し、該方法は、伸縮性材料の第１のパネルと伸縮性材料の第２のパネルとを設けるステップと、第１のパネルを縫い目によって第２のパネルに接合するステップとを含む。
当業者であれば明らかなように、本発明の第１の態様に関する前述した好ましい実施形態の多くが本発明の他の態様にも適用できる。
本発明の理解に役立つように、ここで、添付図面における特定の非限定的な実施形態を参照する。
【図面の簡単な説明】
【００１３】
【図１】本発明の第１、第２、第３、および、第４の態様に係る下半身圧迫衣服の第１の実施形態の正面図を示している。
【図２】図１の実施形態の側面図を示している。
【図３】図１および図２の実施形態の背面図を示している。
【図４】本発明の第１および第５の態様を示す上半身圧迫衣服の第１の実施形態の正面図を示している。
【図５】図４の実施形態の側面図である。
【図６】図４および図５の実施形態の背面図である。
【発明を実施するための形態】
【００１４】
最初に図１〜図３を参照すると、着用者のほぼウエストラインから着用者の足首までの下胴である身体部分を纏うため、圧迫衣服１０がロングタイツの形態をなす下半身衣服として示されている。
ロングタイツ１０は、伸縮性材料からなる第１のパネル１２Ａおよび１２Ｂと、伸縮性材料からなる第２のパネル１４とを有する。第１のパネル１２Ａは第２の縫い目１８によって第２のパネル１４に接合される。第１のパネル１２Ｂは第１の縫い目１６によって第２のパネル１４に接合される。効果的に、第１のパネル１２が２つの部分１２Ａおよび１２Ｂへ分割され、パネル１２Ａは、図１に示されるように着用者の大腿部の前部を覆い、また、パネル１２Ｂは、図３に示されるように着用者の大腿部の後部を覆い、この場合、パネル１２Ａおよび１２Ｂを接合する縫い目（図示せず）が着用者の内側大腿部に沿って延びる。
第１のパネル１２Ａおよび１２Ｂは、伸ばすために第２のパネル１４よりも大きい力を必要とし、したがって、第２のパネル１４よりも弾力性が低い。
第１のパネル１２Ｂは、２０に位置する着用者の大臀筋と、２４に位置するハムストリング筋とを支持するようになっている。第１のパネル１２Ａは、２２に位置する大腿四頭筋を支持するようになっている。
【００１５】
図１および図２から分かるように、第２の縫い目１８は、それが膝部位２６よりも上側の着用者の上脚を横断し、そのため、膝の屈曲を妨げないように位置する。
また、図２から分かるように、第２のパネル１４は、着用者の腸脛靭帯の実質的部分に沿って位置しており、それにより、第３の縫い目２８において膝部位２６よりも上側で終端する。
この実施形態では、膝部位２６が更なるパネル３０によって覆われる。このパネルは、第２のパネル１４と同様の弾力性を有する材料であってもよいが、膝の屈曲を妨げないように第２のパネル１４よりも弾力性がかなり大きい材料から形成されるのが好ましい。
圧迫衣服１０の下脚では、縫い目１６が下脚の後部へ巻回するように連続されており、それにより、縫い目１６の少なくとも一部が３２で下脚の下腿三頭筋を分割するようになっている。縫い目３４も同様に着用者の内側大腿部の部位から延びて３２で縫い目１６と合流する。なお、縫い目１６および３４は、それらが３２で合流する場合、着用者の下脚のふくらはぎの筋肉３６および３８を効果的に分割する。
この実施形態において、パネル４０は、脛骨の骨ばっている隆起に沿って位置する縫い目３４および縫い目４２（図１参照）によって境界付けられている。
パネル４４は、縫い目４２、縫い目１６の延在部、および、下側縫い目４６により、膝パネル３０に対して境界付けられている。パネル４０および４４は第１のパネル１２Ａおよび１２Ｂと同じ材料から形成されるのが好ましい。
図３に示されるように、更なるパネル４８が、縫い目１６および３４の延在部間に形成されており、着用者のアキレス腱を支持する。パネル４８は、第２のパネル１４の材料または膝パネル３０の材料などの弾力性の高い材料から形成されるのが好ましい。
図１に示されるように、ロングタイツ１０は、２つの第１のパネル１２Ａに対して縫い目５２および５４により接合される股パネル５０を有する。股パネル５０は、第１のパネル１２Ａと同じ弾力性あるいは異なる弾力性を有してもよい。
股パネル５０は縫い目５８によって上側パネル５６に接合される。先と同様に、パネル５６は、周囲のパネルと比べて同じ弾力性または異なる弾力性を有してもよい。
【００１６】
図３から分かるように、縫い目６０は、パネル１２Ｂ同士を接合して、大臀筋位置２０間で延びている。パネル６２が縫い目６０の上側でかつ胴回り６４の下側に位置する。必要に応じて、パネル６２は、通気を助けるためにメッシュパネルからなってもよくあるいはメッシュパネルを含んでもよい。更なるメッシュパネルが股パネル５０にあるいは着用者の股の付近に位置する他の場所に含まれてもよい。
図１〜図３のそれぞれから分かるように、胴回り６４は、圧迫衣服１０が着用者のウエストで平らに座るように縫い目６６により形成される。
この実施形態において、胴回り６４は、縫い目６８および７０間の胴回り６４の前部内を除いて、別個の弾性挿入体を有さない。
圧迫衣服１０は、対応するそれぞれのパネルを設けて、意図される着用者にとって望ましい形状を与えるようにこれらのパネルを対応するそれぞれの縫い目により接合することにより製造される。
【００１７】
図１〜図３はロングタイツの形態をなす圧迫衣服１０を示しているが、本発明の第１および第２の態様が膝部位２６よりも上側で断ち切られるショートタイツバージョンで具現化されてもよいことが分かる。
ここで、図４〜図６を参照すると、圧迫衣服８０が、この実施形態では長袖８２および８４を有する上半身衣服の形態をなして示されている。しかしながら、長袖８２および８４が含まれずあるいは更に短い袖の形態をなして存在することも本発明の範囲内に入るのが分かる。
圧迫衣服８０は、縫い目９０によって第２のパネル８８に接合される第１のパネル８６を有する。縫い目９０は、活動中に着用者のねじれ運動の手助けをするために、９２に位置する着用者の外腹斜筋の線維方向に追従するようになっている。第１のパネル８６は、第２のパネル８８よりも弾力性が低い材料から形成される。これは、横隔膜領域９４上にわたって大きな弾力性を許容しつつ、着用者の胴の上部に対して圧縮を与える。
【００１８】
図５から分かるように、縫い目９０は、９６で広背筋の下端に沿って延びるようになっている。
図６から分かるように、縫い目９０は、肩甲骨筋を支持するために上半身衣服８０の背部で再び立ち上がっている。
図示の実施形態においては、図６から分かるように、上半身衣服８０は、更なるパネル１０２によって分離されるパネル９８および１００を有する。パネル９８および１００は、パネル８６と同じ、比較的弾力性が低い材料から形成される。しかしながら、パネル１０２は、パネル８８のそれと同じあるいは異なる弾力性の更に弾力性が高い材料から形成される。パネル１０２の目的は、パネル９８および１００にわたって圧縮を依然として与えつつ、活動中に着用者の背中の適切な動きを許容することである。
図示の実施形態では、腕の筋肉の固定を助けるために更なる縫い目１０４が設けられる。
サイド縫い目１０６は、上半身衣服８０の成形を助けるために設けられる。随意的に、サイド縫い目１０６により、サイドパネル１０８および１１０がパネル８６ならびにパネル９８および１００などの他のパネルと比べて異なる弾力性を有することができるようにしてもよい。
ロングタイツ１０と同様に、上半身衣服８０は、通気を助けるためにメッシュ挿入体を有してもよい。これらのメッシュは、例えば、首パネル１１２または脇の下パネル１１４で使用されてもよい。
前述した実施形態で言及された全ての縫い目は、４本針フラットロック縫いを使用して形成されており、筋肉群を固定して圧縮を助ける役目を果たしてもよい。
当業者であれば分かるように、本発明の思想または範囲から逸脱することなく、本明細書中に記載される実施形態に対して多くの改良および変形がなされてもよい。
【産業上の利用可能性】
【００１９】
本発明は、圧迫衣服が着用者の身体の特定の領域の過剰圧力の影響を考慮に入れることにより負傷の問題を軽減しあるいは回避することができるという点において産業上利用できる。
【図１】
0005845175.tif 000002
【図２】
0005845175.tif 000003
【図３】
0005845175.tif 000004
【図４】
0005845175.tif 000005
【図５】
0005845175.tif 000006
【図６】
0005845175.tif 000007